(57)【特許請求の範囲】
【請求項１】
屋根材本体の側端部を折曲げて形成した接続片を面接触させて棟軒方向とは直交する方向に接続する縦葺屋根材の接続構造であって、接続片に上下方向に交互にかつ棟軒方向に連続させて凹条と凸条を形成し、接続片の下端から内方上方に向けて押さえ片を延出し、略逆Ｕ字状の吊子の上片に挿入凹所を形成し、挿入凹所の対向する側壁から突出して隣接する押さえ片の差込みをガイドするとともに抜け止めを図る抜け止めガイド片を略Ｖ字状の間隔を隔てて設け、吊子を屋根下地に固定具にて固定して吊子の対向する外側壁部間に略Ｕ字状の樋部材を挟持するとともに屋根下地に押付け、挿入凹所における抜け止めガイド片間への隣接する押さえ片の差し込み挿入後に、押さえ片の先端部を抜け止めガイド片を越えた位置において挿入凹所の対向する側壁に押圧して成ることを特徴とする縦葺屋根材の接続構造。
【請求項２】
隣接する接続片の凹条と凸条の位相をずらせてあって、隣接する屋根材本体を略面一にして接続する際に、凹条と凸条とを噛合して成ることを特徴とする請求項１記載の縦葺屋根材の接続構造。
【請求項３】
挿入凹所の下端面にて樋部材の低部内面を押さえて成ることを特徴とする請求項１又は２記載の縦葺屋根材の接続構造。
【発明の詳細な説明】
【０００１】
【発明の属する技術分野】
本発明は、縦葺屋根材の接続構造に関し、詳しくは、縦葺屋根材の接続箇所における水密性を高めるとともに樋部材を強固に屋根下地に取付け、接続箇所のキャップを省いて接続構造を簡素化して施工性を高めようとする技術に係るものである。
【０００２】
【従来の技術】
従来、縦葺屋根材の接続構造は、図５に示すように、縦葺屋根材Ａ，Ａを吊子４と樋部材１７とキャップ１６を用いて接続している。詳しくは、縦葺屋根材Ａは略矩形板状の屋根材本体１の両側端部に下方に接続片２を折り曲げてあって、接続片２の下端に内方上方に向かう係止接続片１５が形成されている。吊子４にはボルト１１によって接続体１２を接続している。
【０００３】
しかして、吊子４の下面側に形成している凹所３３，３３に樋部材１７の両側壁部１７ａ，１７ａを位置させて挿入保持させて吊子４を屋根下地１０に固定し、次に、縦葺屋根材Ａの係止接続片１５を吊子４側の接続体１２の端部片１２ａに係止して両縦葺屋根材Ａ，Ａの間で、接続体１２にキャップ１６を係止して縦葺屋根材Ａ，Ａの接続をおこなうのである。
【０００４】
このような縦葺屋根材Ａ，Ａの接続構造においては、キャップ１６と縦葺屋根材Ａとの間から雨水の浸入を許容するのであり、浸入した雨水を樋部材１７に導入して軒側に流下排水するものである。
【０００５】
【発明が解決しようとする課題】
ところで、このような縦葺屋根材の接続構造において、接続箇所における接続強度及び水密性を高めようとするのに際して、吊子４側に接続体１２を要し、接続箇所にキャップ１６を要するものであり、接続構造が複雑となるとともに施工性が低下し、それでいて、樋部材１７の保持強度を高め難い等という問題があった。
【０００６】
本発明は上記の点に鑑みてなされたものであり、固定具にて屋根下地に固定する吊子によって、縦葺屋根材の接続箇所における水密性を高めるとともに樋部材を強固に屋根下地に取付け、接続箇所のキャップを省いて接続構造を簡素化して施工性を高めることができる縦葺屋根材の接続構造を提供することを課題とするものである。
【０００７】
【課題を解決するための手段】
請求項１の発明においては、接続片２に上下方向に交互にかつ棟軒方向に連続させて凹条５ａと凸条５ｂを形成し、接続片２の下端から内方上方に向けて押さえ片３を延出し、略逆Ｕ字状の吊子４の上片４ａに挿入凹所７を形成し、挿入凹所７の対向する側壁８，８から突出して押さえ片３，３の差込みをガイドするとともに抜け止めを図る抜け止めガイド片６，６を略Ｖ字状の間隔を隔てて設け、吊子４を屋根下地１０に固定具３５にて固定して吊子４の対向する外側壁部３４，３４間に略Ｕ字状の樋部材３２を挟持するとともに屋根下地１０に押付け、挿入凹所７における抜け止めガイド片６，６間への隣接する押さえ片３，３の差し込み挿入後に、押さえ片３の先端部を抜け止めガイド片６，６を越えた位置において挿入凹所７の対向する側壁８，８に押圧していることを特徴とするものである。このような構成によれば、吊子４を屋根下地１０に固定することで、断面略Ｕ字状の吊子４の外側壁３４，３４間に樋部材３２を挟持して吊子４を屋根下地１０に固定するのであり、又、抜け止めガイド片６，６を乗り越えた押さえ片３，３が弾性変位して挿入凹所７の側壁８，８に押圧することの反力に基因して隣接する縦葺屋根材Ａ，Ａの接続片２，２を強固に押圧して縦葺屋根材Ａ，Ａを強固に接続することができるのであり、更に、接続片２，２には棟軒方向に連続する凹条５ａと凸条５ｂとが上下方向に交互に形成されることから、棟軒方向に連続する凹条５ａ…に至る雨水は凹条５ａを樋として軒側に流下させ、接続箇所において雨水が屋根下地側に漏洩することを低減することができるのであり、このように、固定具３５にて屋根下地１０に固定する吊子４によって、縦葺屋根材Ａ，Ａの接続箇所における水密性を高めるとともに樋部材４を強固に屋根下地１０に取付け、接続箇所のキャップを省いて接続構造を簡素化して施工性を高めることができる。
【０００８】
請求項２においては、隣接する接続片２，２の凹条５ａと凸条５ｂの位相をずらせてあって、隣接する屋根材本体１，１を略面一にして接続する際に、凹条５ａに凸条５ｂを噛合してあることを特徴とするものである。このような構成によれば、凹条５ａと凸条５ｂが噛合することで、接続片２，２間の水密性を、一層、高めることができるとともに、接続片２，２間の上下方向に位置ずれを防止することができ、隣接する縦葺屋根材Ａ，Ａを略面一に接続しやすい。
【０００９】
請求項３においては、挿入凹所７の下端面にて樋部材３２の低部内面を押さえていることを特徴とするものである。このような構成によれば、樋部材３２の取付け強度を、一層、高めることができる。
【００１０】
【発明の実施の形態】
以下、本発明の実施の形態を説明する。図１（ａ）は断面図、（ｂ）は接続片に形成した凹条及び凸条の係合状態を示す断面図、図２は吊子を示し、同図（ａ）は正面図、同図（ｂ）は平面図、同図（ｃ）は側面図である。
【００１１】
縦葺屋根材Ａは耐食性のある金属板等、例えば、カラー鋼板やカラーステンレス鋼板又は塩化ビニル系樹脂やフッ素系樹脂でラミネートされた鋼板などを折り曲げ加工して形成されるものであって、平板矩形状の屋根材本体１の両側端部に下方に突出する接続片２を設けて左右対称に形成されるものである。接続片２は屋根材本体１の長辺の全長に亘って形成されており、図１（ｂ）に示すように、その下端から内方に向けて斜め上方に屈曲させた押さえ片３を延出している。接続片２は内外方に連続的に折り曲げられて小波状に形成されている。つまり、凹条５ａと凸条５ｂとが上下方向に交互に、かつ、棟軒方向に連続して形成されている。
【００１２】
ところで、左右の接続片２，２の凹条５ａと凸条５ｂとの位相をずらしていて、縦葺屋根材Ａ，Ａを略面一に並設した状態で、左右の接続片２，２の凹条５ａと凸条５ｂとを噛合させることができるようにしている［図１（ｂ）参照］。
【００１３】
図２乃至図３に示すように、吊子４は金属厚板をプレス成型した基材２０とばね板製の抜け止めガイド片２１を接合して形成されるものである。
【００１４】
基材２０は図３のように、全体形状が略逆Ｕ字状となった基材２０の上面５ａに上方が開放された挿入凹所７を形成するとともに両端部に取付片２１，２１を形成したものである。挿入凹所７の両側壁８，８には開口２２，２２を形成している。又、取付片２１が延出された基材２０の端部壁２３の内面には突起２４が折り起こして形成されている。
【００１５】
抜け止めガイド片６は図４のように、ばね板から形成された基板２７に二本のスリット２５，２５が形成されて撓み変位が充分におこなわれる撓み片２６の先端に斜め外方に傾斜して形成されている。抜け止めガイド片６の下端には内方に抜け止め片２８が一連に形成され、抜け止め片２８から当接片３０が垂下されている。基板２７において、抜け止めガイド片６とは反対側の端部に当接縁２９が折曲されて形成されている。
【００１６】
図２に示すように、吊子４の基材２０の下面にばね板から形成された基板２７を配し、基板２７の当接縁２９を基材２０の突起２４に当接させるとともに撓み片２６の先端部の抜け止めガイド片６を側壁８に形成した開口２２に弾入して突出させ、当接片３０を側壁８の内面に弾接して吊子４を構成している。
【００１７】
ところで、樋部材３２は棟軒方向の全長にわたるもので断面略Ｕ字状に形成され、側壁上端部には水返し３６，３６が形成されている。
【００１８】
しかして、縦葺屋根材Ａ，Ａを接続するのに際して、吊子４の取付片２１を屋根下地１０にビスのような固定具３５にて固定するのであり、断面略Ｕ字状の吊子４の外側壁３４，３４間に樋部材３２を挟持して吊子４を屋根下地１０に押付けて固定するのである。次に、両縦葺屋根材Ａ，Ａの接続片２，２を当接して屋根下地１０に固定している吊子４の挿入凹所７に挿入するのであり、この場合、押さえ片３，３が抜け止めガイド片６，６を弾性変形させて乗り越えて、押さえ片３，３が曲げられて押さえ片３の先端部が挿入凹所７の側壁８に弾接するのであり、このような弾接による反力によって、隣接する接続片２，２同士を強固に押圧することができるのであり、接続片２，２間の水密性を高めることができるのである。更に、接続片２には棟軒方向に連続する凹条５ａと凸条５ｂとが上下方向に交互に形成されることから、棟軒方向に連続する凹条５ａに至る雨水は凹条５ａを樋として軒側に流下させるのであり、接続箇所において雨水が屋根下地側に漏洩することを低減することができるのである。
【００１９】
このように、固定具３５にて屋根下地１０に固定する吊子４によって、縦葺屋根材Ａ，Ａの接続箇所における水密性を高めるとともに樋部材４を強固に屋根下地１０に取付け、接続箇所のキャップを省いて接続構造を簡素化して施工性を高めることができるのである。
【００２０】
この場合、隣接する接続片２，２の凹条５ａと凸条５ｂの位相をずらせてあって、隣接する屋根材本体１，１を略面一にして接続する際に、隣接する側壁８，８を圧接して凹条５ａに凸条５ｂを噛合するのであり、凹条５ａと凸条５ｂが噛合することで、接続片２，２間の水密性を、一層、高めることができるとともに、接続片２，２間の上下方向に位置ずれを防止することができ、隣接する縦葺屋根材Ａ，Ａを略面一に接続しやすいものである。
【００２１】
又、吊子４においては、挿入凹所７の下端面にて樋部材３２の低部内面を押さえているのであり、樋部材３２の取付け強度を、一層、高めることができるものである。
【００２２】
【発明の効果】
請求項１の発明においては、接続片に上下方向に交互にかつ棟軒方向に連続させて凹条と凸条を形成し、接続片の下端から内方上方に向けて押さえ片を延出し、略逆Ｕ字状の吊子の上片に挿入凹所を形成し、挿入凹所の対向する側壁から突出して押さえ片の差込みをガイドするとともに抜け止めを図る抜け止めガイド片を略Ｖ字状の間隔を隔てて設け、吊子を屋根下地に固定具にて固定して吊子の対向する外側壁部間に略Ｕ字状の樋部材を挟持するとともに屋根下地に押付け、挿入凹所における抜け止めガイド片間への隣接する押さえ片の差し込み挿入後に、押さえ片の先端部を抜け止めガイド片を越えた位置において挿入凹所の対向する側壁に押圧しているから、吊子を屋根下地に固定することで、断面略Ｕ字状の吊子の外側壁間に樋部材を挟持して吊子を屋根下地に固定するのであり、又、抜け止めガイド片を乗り越えた押さえ片が弾性変位して挿入凹所の側壁に押圧することの反力に基因して隣接する縦葺屋根材の接続片を強固に押圧して縦葺屋根材を強固に接続することができるのであり、更に、接続片には棟軒方向に連続する凹条と凸条とが上下方向に交互に形成されることから、棟軒方向に連続する凹条に至る雨水は凹条を樋として軒側に流下させ、接続箇所において雨水が屋根下地側に漏洩することを低減することができるのであり、このように、固定具にて屋根下地に固定する吊子によって、縦葺屋根材の接続箇所における水密性を高めるとともに樋部材を強固に屋根下地に取付け、接続箇所のキャップを省いて接続構造を簡素化して施工性を高めることができるという利点がある。
【００２３】
請求項２においては、隣接する接続片の凹条と凸条の位相をずらせてあって、隣接する屋根材本体を略面一にして接続する際に、凹条に凸条を噛合してあるから、請求項１の効果に加えて、凹条と凸条が噛合することで、接続片間の水密性を、一層、高めることができるとともに、接続片間の上下方向に位置ずれを防止することができ、隣接する縦葺屋根材を略面一に接続しやすいという利点がある。
【００２４】
請求項３においては、挿入凹所の下端面にて樋部材の低部内面を押さえているから、請求項１又は２の効果に加えて、樋部材の取付け強度を、一層、高めることができるという利点がある。
【図面の簡単な説明】
【図１】本発明の実施の形態を示し、（ａ）は断面図、（ｂ）は接続片に形成した凹条及び凸条の係合状態を示す断面図である。
【図２】同上の吊子を示し、（ａ）は正面図、（ｂ）は平面図、（ｃ）は側面図である。
【図３】同上の吊子の基材を示し、（ａ）は正面図、（ｂ）は平面図、（ｃ）は側面図である。
【図４】同上の吊子の抜け止めガイド片を示し、（ａ）は正面図、（ｂ）は平面図、（ｃ）は左側面図、（ｄ）は右側面図である。
【図５】従来例の断面図である。
【図６】同上の吊子の斜視図である。
【符号の説明】
１    屋根材本体
２    接続片
３    押さえ片
４    吊子
５ａ  凹条
５ｂ  凸条
６    抜け止めガイド片
７    挿入凹所
８    側壁
１０  屋根下地
【図１】
0003615089.tif 000002
【図２】
0003615089.tif 000003
【図３】
0003615089.tif 000004
【図４】
0003615089.tif 000005
【図５】
0003615089.tif 000006
【図６】
0003615089.tif 000007